(57)【要約】【課題】本発明は、外側チューブと内側チューブとからなり、キャップ回転防止とセンタリング位置決め構造を有する複数室分離型のチューブ容器を提供する。【解決手段】キャップの口部は仕切片によって複数の区画に分割されて、内側チューブの口首部は口部の一区画の内周断面形状と合致する外周断面形状を備え、内側チューブの口首部をキャップの口部の一区画に挿入係止して、内側チューブの口首部を外側チューブの口首部に位置決め固定され、さらに外側チューブの口首部の所定の位置の外周面に沿って周設されている複数個のリブからなるキャップ回動防止ローレットを備え、キャップには外側チューブを装着する装着部に外側チューブを位置決め固定するセンタリングリブと前記ローレットと噛合可能な突条リブを備え、外側チューブが位置決め固定されると共に、前記ローレットと前記センタリングリブもしくは突条リブとが噛合するキャップ回動防止手段を有する。【選択図】図６
2008285193.tif 000002
【特許請求の範囲】
【請求項１】
口首部を覆ってキャップが装着された外側チューブと、その外側チューブの内側に取り付けられる内側チューブとからなる複数室分離型のチューブ容器であって、
前記キャップの口部は仕切片によって複数の区画に分割されており、前記内側チューブの口首部は、前記分割された口部の一区画の内周断面形状と合致する外周断面形状を備えており、前記内側チューブの口首部を前記キャップの口部の一区画に挿入係止して、前記内側チューブの口首部を前記外側チューブの口首部に位置決め固定され、さらに、前記外側チューブの口首部の所定の位置の外周面に沿って周設されている複数個のリブからなるキャップ回動防止ローレットを備え、前記キャップには外側チューブを装着する装着部に前記外側チューブを位置決め固定する複数個のセンタリングリブと前記ローレットと噛合可能とする複数個の突条リブを備え、前記外側チューブが装着部のセンタリングリブにより位置決め固定されると共に、前記ローレットと前記装着部のセンタリングリブもしくは突条リブとが噛合するキャップ回動防止手段を有することを特徴とするチューブ容器。
【請求項２】
前記センタリングリブが、前記外側チューブを装着する装着部の筒状係止スリーブの上端部内周に沿って周設されていることを特徴とする請求項１記載のチューブ容器。
【請求項３】
前記キャップ回動防止ローレットと噛合可能とする突条リブが、前記外側チューブを装着する装着部の両側外壁内面に沿って設けられていることを特徴とする請求項１または２記載のチューブ容器。
【請求項４】
前記外側チューブの口首部の所定の位置の外周面に沿って周設されているリブからなるキャップ回動防止ローレットが、前記外側チューブ口首部の口元天面を頂点とし、口首部の外周面に沿って形成した係止横リブ上端までに広がる前記外側チューブ口首部上端部の外周面に沿って周設されている山状リブからなるローレットであって、
前記ローレットが、前記センタリングリブと噛合するキャップ回動防止手段であることを特徴とする請求項１または２記載のチューブ容器。
【請求項５】
前記外側チューブの口首部の所定の位置の外周面に沿って周設されているリブからなるキャップ回動防止ローレットが、前記外側チューブ口首部の肩部の外周面に沿って周設されて軸方向に延びる縦リブからなるローレットであって、
前記ローレットが、前記外側チューブを装着する装着部の両側外壁内面に沿って設けられている突条リブと噛合するキャップ回動防止手段であることを特徴とする請求項１、２、３のいずれか１項に記載のチューブ容器。
【請求項６】
前記外側チューブの口首部の所定の位置の外周面に沿って周設されているリブからなるキャップ回動防止ローレットが、前記外側チューブ口首部の口元天面から口首部の外周面に沿って形成した係止横リブ上端まで軸方向に延びる縦リブからなるローレットであって、
前記ローレットが、前記センタリングリブと噛合するキャップ回動防止手段であることを特徴とする請求項１または２記載のチューブ容器。
【請求項７】
前記外側チューブの口首部の所定の位置の外周面に沿って周設されているリブからなるキャップ回動防止ローレットが、口首部の外周面に沿って形成した係止横リブ外周に軸方向に延びる縦リブからなるローレットであって、
前記ローレットが、前記センタリングリブと噛合するキャップ回動防止手段であることを特徴とする請求項１または２記載のチューブ容器。
【請求項８】
前記係止横リブ外周に軸方向に延びる縦リブからなるキャップ回動防止ローレットを、
前記係止横リブの外周面に沿って３０°〜１２０°間隔で設けること特徴とする請求項７記載のチューブ容器。
【発明の詳細な説明】
【技術分野】
【０００１】
本発明は、外側チューブと内側チューブとからなる複数室分離型のチューブ容器に関する。
【背景技術】
【０００２】
チューブ容器は、内容物として例えば化粧品、日用品、接着剤等を、ペースト状、クリーム状、ゼリー状等の状態で収容するもので、容器の胴部を押圧することにより、口首部から内容物を手軽に注出させることが可能な容器である。また、異なる色調の内容物を同時に注出させて特異な色彩感覚を与える場合や、使用時に混合して用いられる内容物を各々分けて収容しておくことによって保存時に化学反応による劣化を防止する場合等に用いられる、内容物を分離した状態で各々収容しておくことが可能な２室分離型のチューブ容器も種々開発されている。
【０００３】
例えば、特許文献１によれば、図１６（ａ）および（ｂ）で示すように、口首部１２にヒンジキャップ２４が装着された外側チューブ１１と、外側チューブ１１の内側に取り付けられる内側チューブ１３とからなる。そして、チューブ容器２０によれば、ヒンジキャップ２４の口部１７は仕切片１８によって断面が半円形の２つの区画に分割されており、内側チューブ１３の口首部１９は、分割された口部１７の一方の区画３９の内周断面形状と合致する半円形の外周断面形状をその先端係止部２６において備えており、内側チューブ１３の口首部１９をヒンジキャップ２４の口部１７の一方の区画３９に挿入係止することによって、内側チューブ１３の口首部１９を外側チューブ１１の口首部１２に位置決め固定できるようになっている。
【０００４】
ヒンジキャップ２４は、装着部２７とこの装着部２７に対してヒンジ接合された蓋部２８とを一体として形成されている。装着部２７は、口首部１２を外側から覆って外側チューブ１１の上方から嵌め込むようにして装着され、下面側に設けた筒状係止スリーブ２９の先端係止突起３０を、口首部１２の外周面に沿って形成した係止リブ３１に係止することによって、外側チューブ１１の上端に固定される。
【特許文献１】特開２００３−１１８７５２号公報
【発明の開示】
【発明が解決しようとする課題】
【０００５】
しかしながら、筒状係止スリーブ２９の先端係止突起３０を、口首部１２の外周面に沿って形成した係止リブ３１に係止されているだけであるので、外側チューブとそれに嵌合するキャップ内側に半円状に嵌合する内側チューブからなるチューブ容器は、キャップを故意または不用意に回転し、キャップを回転させると内側チューブが外側チューブに対して捩れて、内側チューブが嵌合しているキャップから離脱したり、内側チューブの嵌合部が割れたり、クラックが生じたりする危惧があった。
【０００６】
本発明は、上記の問題点を解決するためになされたものであって、外側チューブと内側チューブとからなる複数室分離型のチューブ容器において、キャップの回転防止とセンタリング位置決め構造を有する複数室分離型のチューブ容器を提供することを目的とする。
【課題を解決するための手段】
【０００７】
上記の目的を達成するために、即ち、
請求項１に係る発明は、
口首部を覆ってキャップが装着された外側チューブと、その外側チューブの内側に取り
付けられる内側チューブとからなる複数室分離型のチューブ容器であって、
前記キャップの口部は仕切片によって複数の区画に分割されており、前記内側チューブの口首部は、前記分割された口部の一区画の内周断面形状と合致する外周断面形状を備えており、前記内側チューブの口首部を前記キャップの口部の一区画に挿入係止して、前記内側チューブの口首部を前記外側チューブの口首部に位置決め固定され、さらに、前記外側チューブの口首部の所定の位置の外周面に沿って周設されている複数個のリブからなるキャップ回動防止ローレットを備え、前記キャップには外側チューブを装着する装着部に前記外側チューブを位置決め固定する複数個のセンタリングリブと前記ローレットと噛合可能とする複数個の突条リブを備え、前記外側チューブが装着部のセンタリングリブにより位置決め固定されると共に、前記ローレットと前記装着部のセンタリングリブもしくは突条リブとが噛合するキャップ回動防止手段を有することを特徴とするチューブ容器である。
【０００８】
請求項２に係る発明は、
前記センタリングリブが、前記外側チューブを装着する装着部の筒状係止スリーブの上端部内周に沿って周設されていることを特徴とする請求項１記載のチューブ容器である。
【０００９】
請求項３に係る発明は、
前記キャップ回動防止ローレットと噛合可能とする突条リブが、前記外側チューブを装着する装着部の両側外壁内面に沿って設けられていることを特徴とする請求項１または２記載のチューブ容器である。
【００１０】
請求項４に係る発明は、
前記外側チューブの口首部の所定の位置の外周面に沿って周設されているリブからなるキャップ回動防止ローレットが、前記外側チューブ口首部の口元天面を頂点とし、口首部の外周面に沿って形成した係止横リブ上端までに広がる前記外側チューブ口首部上端部の外周面に沿って周設されている山状リブからなるローレットであって、
前記ローレットが、前記センタリングリブと噛合するキャップ回動防止手段であることを特徴とする請求項１または２記載のチューブ容器である。
【００１１】
請求項５に係る発明は、
前記外側チューブの口首部の所定の位置の外周面に沿って周設されているリブからなるキャップ回動防止ローレットが、前記外側チューブ口首部の肩部の外周面に沿って周設されて軸方向に延びる縦リブからなるローレットであって、
前記ローレットが、前記外側チューブを装着する装着部の両側外壁内面に沿って設けられている突条リブと噛合するキャップ回動防止手段であることを特徴とする請求項１、２、３のいずれか１項に記載のチューブ容器である。
【００１２】
請求項６に係る発明は、
前記外側チューブの口首部の所定の位置の外周面に沿って周設されているリブからなるキャップ回動防止ローレットが、前記外側チューブ口首部の口元天面から口首部の外周面に沿って形成した係止横リブ上端まで軸方向に延びる縦リブからなるローレットであって、
前記ローレットが、前記センタリングリブと噛合するキャップ回動防止手段であることを特徴とする請求項１または２記載のチューブ容器である。
【００１３】
請求項７に係る発明は、
前記外側チューブの口首部の所定の位置の外周面に沿って周設されているリブからなるキャップ回動防止ローレットが、口首部の外周面に沿って形成した係止横リブ外周に軸方向に延びる縦リブからなるローレットであって、
前記ローレットが、前記センタリングリブと噛合するキャップ回動防止手段であることを特徴とする請求項１または２記載のチューブ容器である。
【００１４】
請求項８に係る発明は、
前記係止横リブ外周に軸方向に延びる縦リブからなるキャップ回動防止ローレットを、前記係止横リブの外周面に沿って３０°〜１２０°間隔で設けること特徴とする請求項７記載のチューブ容器である。
【発明の効果】
【００１５】
本発明により、口首部を覆ってキャップが装着された外側チューブと、その外側チューブの内側に取り付けられる内側チューブとからなる複数室分離型のチューブ容器において、キャップ回動防止手段を備えており、キャップを故意または不用意に回動し、内側チューブが外側チューブに対して捩れて、内側チューブが嵌合しているキャップから離脱したり、内側チューブの嵌合部が割れたり、クラックが生じたりすることを防止したチューブ容器が提供できる。
【発明を実施するための最良の形態】
【００１６】
以下、本発明の一実施形態に係るチューブ容器について図面を参照して説明する。図１は、本発明の一実施形態に係るチューブ容器の正面図である。図２は、本発明の一実施形態に係るチューブ容器の断面図である。図３は、本発明の一実施形態に係るチューブ容器の上方から見た平面図である。図４は、本発明の一実施形態に係るチューブ容器のヒンジキャップの蓋部を開いた状態の上方から見た平面図である。図５は、本発明の一実施形態に係るチューブ容器のヒンジキャップに内側チューブの口首部を挿入係止状態の部分断面図である。図６は、本発明の一実施形態に係るチューブ容器の要部を示す断面図である。図７、９、１１、１３は、本発明の一実施形態に係るチューブ容器の外側チューブに設けるキャップ回動防止ローレットの一実施例を示す要部部分断面および上方から見た平面図である。図８は、本発明の一実施形態に係るチューブ容器の外側チューブの図７のキャップ回動防止ローレットとセンタリングリブとが噛合している状態を説明する断面図である。図１０は、本発明の一実施形態に係るチューブ容器の外側チューブの図９のキャップ回動防止ローレットと突条リブとが噛合している状態を説明する断面図である。図１２は、本発明の一実施形態に係るチューブ容器の外側チューブの図１１のキャップ回動防止ローレットとセンタリングリブとが噛合している状態を説明する断面図である。図１４は、本発明の一実施形態に係るチューブ容器の外側チューブの図１３のキャップ回動防止ローレットを一本飛びに設けて、センタリングリブとが噛合している状態を説明する断面図である。図１５は、本発明の一実施形態に係るチューブ容器の外側チューブの図１３のキャップ回動防止ローレットを３０度間隔で設けて、センタリングリブとが噛合している状態を説明する断面図である。
【００１７】
図１および図２に示す本発明の好ましい実施形態に係るチューブ容器１０は、２室分離型のチューブ容器であって、口首部１２にヒンジキャップ１４が装着された外側チューブ１１と、外側チューブ１１の内側に取り付けられる内側チューブ１３とからなる。
【００１８】
そして、本実施形態のチューブ容器１０によれば、図３、図４、図５および図６（ａ）、（ｂ）にも示すように、ヒンジキャップ１４の口部１７は仕切片１８によって断面が半円形の２つの区画に分割されており、内側チューブ１３の口首部１９は、分割された口部１７の一方の区画２０の内周断面形状と合致する半円形の外周断面形状をその先端係止部２６において備えており、内側チューブ１３の口首部１９をヒンジキャップ１４の口部１７の一方の区画２０に挿入係止することによって、内側チューブ１３の口首部１９を外側チューブ１１の口首部１２に位置決め固定できるようになっている。
【００１９】
ヒンジキャップ１４は、装着部２７とこの装着部２７に対してヒンジ接合された蓋部２８とを一体として形成されている。装着部２７は、口首部１２を外側から覆って外側チューブ１１の上方から嵌め込むようにして装着され、下面側に設けた筒状係止スリーブ２９の先端係止突起３０と、口首部１２の外周面に沿って形成した係止横リブ３１に係止することによって、外側チューブ１１が固定され、筒状係止スリーブ２９の内周上部に周設する複数個のセンタリングリブ４０と、例えば、図７（ａ）および（ｂ）で示すように、外側チューブ１１（ａ）の口首部１２の口元天面を頂点とし、口首部の外周面に沿って形成した係止横リブ３１の上端までに広がる４５度のピッチで周設されてなる山状リブ４１からなるキャップ回動防止ローレットが設けられており、また、上記複数個のセンタリングリブとして、例えば、図８で示すように、４５度のピッチで８個のセンタリングリブ４０が周設されており、上記山状リブ４１からなるキャップ回動防止ローレットとセンタリングリブ４０とが噛合し、外側チューブ１１（ａ）が位置決めされると同時に、ヒンジキャップ１４を故意または不用意に回動するのを防止できる。このキャップ回動防止手段によって、キャップが回動することによる内側チューブが外側チューブに対して捩れて、内側チューブが嵌合しているキャップから離脱したり、内側チューブの嵌合部が割れたり、クラックが生じたりすることを防止できる。
【００２０】
そして、装着部２７の中央に開口形成された円形の口部１７は、口首部１２の上端開口の内方において当該上端開口と同心状に開口して配置される。また、装着部２７には、口部１７を囲む周壁３２が、その内壁面を装着部２７の基板３３と垂直に立設させつつ基板３３の上方及び下方に亘って設けられており、また口部１７にはこれを中央で２分割するように仕切片１８が設けられている。なお、本実施形態によれば、ヒンジキャップ２４を介して内側チューブ１３の口首部１９を外側チューブ１１の口首部１２に位置決め固定するので、外側チューブ１１に内側チューブ１３を係止するための特別な改良を何ら加えることなく、従来の一般的な外側チューブと同様のものを使用することが可能である。
【００２１】
本実施形態によれば、外側チューブ１１は、その胴部２１がアルミラミネートフィルム、シリカ蒸着フィルム、エチレン・ビニルアルコール共重合体フィルム等のバリヤー性に優れる樹脂フィルム材料によって円筒状に形成されており、この胴部２１の一端部に、肩部２２と口首部１２とを一体成形した円形の口頭部２３を熱接合することによって容易に得ることができる。なお、外側チューブ１１の口頭部２３としては、チューブ容器の口頭部として一般に用いられる、ポリオレフィン系樹脂を用いた公知の各種のものを用いることができる。また、外側チューブ１１の胴部２１の他端部は、第１室１５及び第２室１６の内部に内容物が各々充填収容された後に、内側チューブ１３の他端部と共に帯状に熱シールされて、各内容物を第１室１５および第２室１６の内部に各々封入する。
【００２２】
内側チューブ１３は、ポリオレフィン系樹脂からなり、ブロー成形等によって、胴部２４と口頭部２５とが一体として形成される。また内側チューブ１３は、後述するヒンジキャップ１４の材質よりも軟らかい材質を有しており、口頭部２５の上方に突出する半円形の外周断面形状を備える口首部１９の先端係止部２６を、ヒンジキャップ１４の口部１７の一方の区画２０に、圧縮変形させるようにしつつスムースに挿入係止できるようになっている。なお、内側チューブ１３の胴部２４の他端部は、第１室１５及び第２室１６の内部に内容物が各々充填収容された後に、外側チューブ１１の他端部と共に帯状に熱シールされて、内容物を第２室１６の内部に封入する。
【００２３】
また、本実施形態によれば、ヒンジキャップ１４の口部１７の一方の区画２０には、当該一方の区画２０の内周方向に延設する横リブ４３を、周壁３２の内周面に沿って仕切片１８と対向する位置に設けておき、この横リブ４３に内側チューブ１３の口首部１９（先端係止部２６）の外周面横リブ４２に係止して、当該内側チューブ１３の口首部１９を外側チューブ１１の口首部１２にヒンジキャップ１４を介して位置決め固定することもでき
る。
【００２４】
ヒンジキャップ１４の蓋部２８は、ヒンジ接合部３５を介して装着部２７に接合され、口部１７を開閉する。また、蓋部２８の天井板３６の内側面には、装着部２７の周壁３２と対応する位置に一対の円環状のリブによるリブ溝３７が設けられ、また装着部２７の仕切片１８と対応する位置に直線状の当接リブ３８が設けられている。蓋部２８により口部１７を閉塞した際に、周壁３２の上端がリブ溝３７に挿入係止されると共に、仕切片１８の上端が当接リブ３７に当接することにより、第１室１５と第２室１６はその先端部分においても確実に仕切られることになる。
【００２５】
本実施形態によれば、内容物を充填収容したチューブ容器１０を製造する際に、当該チューブ容器１０の製造ラインにおいて、第１室１５と第２室１６に内容物を各々充填する工程に先立って、内側チューブ１３の口首部１９の先端係止部２６を、ヒンジキャップ１４の口部１７の一方の区画２０に挿入係止するだけの簡易な作業によって、内側チューブ１３の口首部１９を外側チューブ１１の口首部１２にヒンジキャップ１４を介して容易に位置決めすることができる。これによって他端部が熱シールされるまでの間、外側チューブ１１の内部における内側チューブ１３の位置ずれを効果的に防止することが可能になる。しかる後に第１室１５と第２室１６に内容物を充填し、外側チューブ１１の胴部２１の他端部と内側チューブ１３の胴部２４の他端部とを重ね合わせつつ帯状に熱シールすることによって、内容物を収容したチューブ容器１０が製造される。
【００２６】
本実施形態のチューブ容器１０によれば、筒状係止スリーブ２９の内周上部に周設する複数個（例えば、８個）のセンタリングリブ４０と、外側チューブ１１の口首部１２の口元天面を頂点とし、口首部の外周面に沿って形成した係止横リブ３１の上端までに広がる４５度のピッチで周設されてなる複数個（例えば、８個）の山状リブ４１からなるキャップ回動防止ローレットとが噛合し、外側チューブ１１が位置決めされると同時に、ヒンジキャップ１４を故意または不用意に回動するのを防止し、キャップの回動による内側チューブが外側チューブに対して捩れて、内側チューブが嵌合しているキャップから離脱したり、内側チューブの嵌合部が割れたり、クラックが生じたりする問題が解消される。
【００２７】
また、本実施形態のチューブ容器１０によれば、簡易な構成で外側チューブ１１の口首部１２に内側チューブ１３の口首部１９を容易に位置決め固定できると共に、キャップ１４の天面を構成する天井板３６の内側における内容物の混合を効果的に回避でき、また各チューブ１１，１２を十分に押圧しきって多くの残量が生じるのを効果的に回避できる。すなわち、本実施形態によれば、射出成形等の一般の成形方法によって形成されたヒンジキャップ１４の口部１７の一方の区画２０に、ブロー成形等の一般の成形方法によって形成された内側チューブ１３の口首部１９の先端係止部２６を挿入するだけの簡易な構成によって、ヒンジキャップ１４が装着される外側チューブ１１の構造に何ら変更を加えることなく、容易に内側チューブ１３の口首部１９を位置決め固定することが可能になる。また、本実施形態によれば、区画された口部１７を開閉するキャップとしてヒンジキャップ１４が用いられており、スクリューキャップを用いる場合と比較して、天井板３６を回転させる必要がないので、口部１７における各室１５，１６からの内容物のはみだしを効果的に回避できると共に、はみでた内容物の混合を確実に防止することができる。さらに、本実施形態によれば、内側チューブ１３の口首部１９を外側チューブ１１の口首部１２に接続するアダプタを必要としないので、外側チューブ１１及び内側チューブ１３を最後まで容易に押圧することができ、各チューブ１１，１３に内容物の残量が生じるのを効果的に回避することが可能になる。
【００２８】
本発明のチューブ容器１０の一実施形態として、筒状係止スリーブ２９の内周上部に周設する複数個のセンタリングリブ４０と、外側チューブ１１の口首部１２の口元天面を頂
点とし、口首部の外周面に沿って形成した係止横リブ３１の上端までに広がる４５度のピッチで周設されてなる山状リブ４１からなるキャップ回動防止ローレットとが噛合するキャップ回動防止手段を例示したが、本発明のチューブ容器においてはこのキャップ回動防止手段に限定されない。
【００２９】
例えば、外側チューブの口首部の所定の位置の外周面に沿って周設したリブからなるキャップ回動防止ローレットが、前記外側チューブ口首部の肩部の外周面に沿って周設されている軸方向に延びる縦リブからなるローレットであって、このローレットが、外側チューブを装着する装着部の両側外壁内面に沿って設けられている突条リブと噛合するキャップ回動防止手段であっても良い。即ち、図９に示すように、外側チューブ１１（ｂ）の口首部の肩部２２の外周面に沿って周設されている軸方向に延びる複数個の縦リブ４１（ｂ）からなるキャップ回動防止ローレットが設けられ、一方、筒状係止スリーブ２９には、筒状係止スリーブ２９の内周上部に周設する複数個（例えば、８個）のセンタリングリブ４０とヒンジキャップ装着部２７の両側外壁下部内面に沿って各々３本の前記縦リブ４１（ｂ）に噛合可能な突条リブ４４を設け、図１０に示すように、縦リブ４１（ｂ）のリブ溝と各々３本の突条リブ４４とが噛合し、センタリングリブ４０によって外側チューブ１１が位置決めされると同時に、ヒンジキャップ１４を故意または不用意に回動するのを防止するキャップ回動防止手段であっても良い。
【００３０】
また、他のキャップ回動防止手段として、外側チューブの口首部の所定の位置の外周面に沿って周設したリブからなるキャップ回動防止ローレットが、外側チューブの口首部の口元天面から口首部の外周面に沿って形成した係止横リブ上端まで軸方向に延びる複数個の縦リブからなるローレットであって、このローレットが、センタリングリブと噛合するキャップ回動防止手段であっても良い。即ち、図１１に示すように、外側チューブ１１（ｃ）の口首部１２の口元天面から口首部１２の外周面に沿って形成されている係止横リブ３１上端まで軸方向に延びる複数個の縦リブ４１（ｃ）からなるキャップ回動防止ローレットを設け、筒状係止スリーブ２９の内周上部に周設する複数個（例えば、８個）のセンタリングリブ４０が、図１２に示すように、縦リブ４１（ｃ）のリブ溝とが噛合し、外側チューブ１１（ｃ）が位置決めされると同時に、ヒンジキャップ１４を故意または不用意に回動するのを防止するキャップ回動防止手段であっても良い。
【００３１】
さらに、別のキャップ回動防止手段として、外側チューブの口首部の所定の位置の外周面に沿って周設されているリブからなるキャップ回動防止ローレットが、口首部の外周面に沿って形成されている係止横リブ外周に軸方向に延びる複数個の縦リブからなるローレットであって、このローレットが、センタリングリブと噛合するキャップ回動防止手段であっても良い。即ち、図１３に示すように、外側チューブ１１（ｄ）の口首部１２の外周面に沿って形成されている係止横リブ３１外周に軸方向に延びる縦リブ４１（ｄ）を、図１４（ａ）に示すように、一本飛びに設け、一方、外側チューブ１１（ｄ）を装着する装着部の筒状係止スリーブ２９の上端内周に沿って周設されている複数個（例えば、８個）のセンタリングリブ４０と、図１４（ｂ）に示すように、上記複数個の縦リブ４１（ｄ）からなるキャップ回動防止ローレットとが噛合し、外側チューブ１１が位置決めされると同時に、ヒンジキャップ１４を故意または不用意に回動するのを防止する構造であっても良い。
【００３２】
また、上記のキャップ回動防止ローレット４１（ｄ）を３０度〜１２０度間隔で設けることもできる。図１５（ａ）および（ｂ）に示すように、上記のキャップ回動防止ローレット４１（ｄ）を３０度間隔でキャップ設けた場合について例示してある。
【００３３】
上記で得られる本発明のチューブ容器は、キャップの口部は仕切片によって複数の区画に分割されており、前記内側チューブの口首部は、前記分割された口部の一区画の内周断
面形状と合致する外周断面形状を備えており、前記内側チューブの口首部を前記キャップの口部の一区画に挿入係止して、前記内側チューブの口首部を前記外側チューブの口首部に位置決め固定される、口首部を覆ってキャップが装着された外側チューブと、その外側チューブの内側に取り付けられる内側チューブとからなる複数室分離型のチューブ容器において、キャップを故意または不用意に回転するのを防止し、キャップが回動することにより内側チューブが外側チューブに対して捩れて、内側チューブが嵌合しているキャップから離脱したり、内側チューブの嵌合部が割れたり、クラックが生じたりすることを防止したチューブ容器が提供できる。
【００３４】
なお、本発明は上記実施形態に限定されることなく種々の変更が可能である。例えば、ヒンジキャップの口部を円形形状とする必要は必ずしもない。また、ヒンジキャップの口部を仕切片によって３区画以上に仕切ることもでき、２以上の内側チューブの口首部を挿入固定することもできる。さらに、本発明のチューブ容器は、内容物として歯磨剤化粧品、日用品、接着剤等のその他の種々の内容物を収容する容器として使用することもできる。
【図面の簡単な説明】
【００３５】
【図１】本発明の一実施形態に係るチューブ容器の正面図である。
【図２】本発明の一実施形態に係るチューブ容器の図１の図３のＡ−Ａに沿った断面図である。
【図３】本発明の一実施形態に係るチューブ容器の図１を上方から見た平面図である。
【図４】本発明の一実施形態に係るチューブ容器の図１のヒンジキャップの蓋部を開いた状態の平面図である。
【図５】本発明の一実施形態に係るチューブ容器の図１のヒンジキャップに内側チューブの口首部を挿入係止状態のＣ−Ｃに沿った部分断面図である。
【図６】（ａ）は本発明の一実施形態に係るチューブ容器の要部を示す図３のＡ−Ａに沿った断面図、（ｂ）は本発明の一実施形態に係るチューブ容器の要部を示す図３のＢ−Ｂに沿った断面図である。
【図７】（ａ）は本発明の一実施形態に係るチューブ容器の外側チューブに設けるキャップ回動防止ローレットの一実施例を示す要部部分断面、（ｂ）は同外側チューブを上方から見た平面図である。
【図８】本発明の一実施形態に係るチューブ容器の外側チューブの図７のキャップ回動防止ローレットとチューブ容器のヒンジキャップ装着部の筒状係止スリーブの内周上部に周設する複数個のセンタリングリブとが噛合している状態を説明する断面図である。
【図９】（ａ）は本発明の一実施形態に係るチューブ容器の外側チューブに設けるキャップ回動防止ローレットの一実施例を示す要部部分断面、（ｂ）は同外側チューブを上方から見た平面図である。
【図１０】本発明の一実施形態に係るチューブ容器の外側チューブの図９のキャップ回動防止ローレットとチューブ容器のヒンジキャップ装着部の両側外壁下部の内面に沿って形成されたする複数個の突条リブとが噛合している状態を説明する断面図である。
【図１１】（ａ）は本発明の一実施形態に係るチューブ容器の外側チューブに設けるキャップ回動防止ローレットの一実施例を示す要部部分断面図、（ｂ）は同外側チューブを上方から見た平面図である。
【図１２】本発明の一実施形態に係るチューブ容器の外側チューブの図１１のキャップ回動防止ローレットとチューブ容器のヒンジキャップ装着部の筒状係止スリーブの内周上部に周設する複数個のセンタリングリブとが噛合している状態を説明する断面図である。
【図１３】（ａ）は本発明の一実施形態に係るチューブ容器の外側チューブに設けるキャップ回動防止ローレットに一実施例を示す要部部分断面、（ｂ）は同外側チューブを上方から見た平面図である。
【図１４】本発明の一実施形態に係るチューブ容器の外側チューブの図１３のキャップ回動防止ローレットを一本飛びに設けて、チューブ容器のヒンジキャップ装着部の筒状係止スリーブの内周上部に周設する複数個のセンタリングリブとが噛合している状態を説明する断面図である。
【図１５】本発明の一実施形態に係るチューブ容器の外側チューブの図１３のキャップ回動防止ローレットを３０度間隔で設けて、チューブ容器のヒンジキャップ装着部の筒状係止スリーブの内周上部に周設する複数個のセンタリングリブとが噛合している状態を説明する断面図である。
【図１６】（ａ）は従来の一実施形態に係るチューブ容器の要部を示す図３のＡ−Ａに沿った断面図、（ｂ）は従来の一実施形態に係るチューブ容器の要部を示す図３のＢ−Ｂに沿った断面図である。
【符号の説明】
【００３６】
１０、２０・・・チューブ容器
１１、１１（ａ）、１１（ｂ）、１１（ｃ）、１１（ｄ）・・・外側チューブ
１２・・・外側チューブの口首部
１３・・・内側チューブ
１４、２４・・・ヒンジキャップ
１５・・・第１室
１６・・・第２室
１７・・・ヒンジキャップの口部
１８・・・仕切板
１９・・・内側チューブの口首部
２０、３９・・・ヒンジキャップの口部の一方の区画
２１・・・胴部
２２・・・肩部
２３・・・円形の口頭部
２５、２５（ａ）、２５（ｂ）、２５（ｃ）、２５（ｄ）・・・キャップ回動防止ローレット
２６・・・内側チューブの口首部の先端係止部
２７・・・ヒンジキャップの装着部
２８・・・ヒンジキャップの蓋部
２９・・・筒状係止スリーブ
３０・・・先端係止突起
３１・・・係止リブ
３２・・・口部の周壁
３３・・・ヒンジキャップの装着部の基板
３４・・・縦リブ
３５・・・ヒンジ接合部
３６・・・天井板
３７・・・リブ溝
３８・・・当接リブ
４０・・・センタリングリブ
４１、４１（ａ）、４１（ｂ）、４１（ｃ）、４１（ｄ）・・・ローレット
４２・・・内側チューブの口首部の先端係止部の２本の離間する横リブ
４３・・・内側チューブの口首部の２本の離間する横リブ
４４・・・突条リブ
４５・・・センタリングリブに延設する係止縦リブ
【図１】
2008285193.tif 000003
【図２】
2008285193.tif 000004
【図３】
2008285193.tif 000005
【図４】
2008285193.tif 000006
【図５】
2008285193.tif 000007
【図６】
2008285193.tif 000008
【図７】
2008285193.tif 000009
【図８】
2008285193.tif 000010
【図９】
2008285193.tif 000011
【図１０】
2008285193.tif 000012
【図１１】
2008285193.tif 000013
【図１２】
2008285193.tif 000014
【図１３】
2008285193.tif 000015
【図１４】
2008285193.tif 000016
【図１５】
2008285193.tif 000017
【図１６】
2008285193.tif 000018